(57)【特許請求の範囲】
【請求項１】
放送から、放送スケジュールの変更の可能性があることを示す付属情報が付属された番組ガイド情報を抽出する抽出手段と、
前記抽出手段により抽出された番組ガイド情報に基づき、前記付属情報が付属された番組ガイドを表示する表示手段と、
前記表示手段に表示された番組ガイドの前記付属情報に対応して、放送スケジュールが変更されなかった場合に放送される予定番組、又は放送スケジュールが変更された場合に放送される代替番組の予約を選択的に予約する予約手段と、
前記予約された内容に基づいて予約を実行する予約実行手段と、
を備えたことを特徴とする番組予約処理装置。
【請求項２】
前記予約手段が、前記予定番組の予約をこの予定番組に付与される予定番組のＩＤで受け付け、
前記予約実行手段が、放送から前記予定番組のＩＤの検出を試み、この予定番組のＩＤの検出結果から、放送スケジュールが変更されたか否かを判断して、予約の実行を制御する、
ことを特徴とする請求項１に記載の番組予約処理装置。
【請求項３】
前記予約手段により前記予定番組が予約され、前記予約実行手段により放送から前記予定番組のＩＤが検出されたとき、検出された前記予定番組のＩＤに基づいて予定番組の予約を実行する、
ことを特徴とする請求項２に記載の番組予約処理装置。
【請求項４】
前記予約手段は前記代替番組の予約を時間帯の指定により受け付け、
前記予約手段により前記代替番組が予約されているときであって、前記予約実行手段により所定の時間帯に放送から前記予定番組のＩＤが検出されなかったとき、放送スケジュールが変更されたものと判断し、前記予約手段で受け付けられた時間帯に放送される代替番組の予約を実行する、
ことを特徴とする請求項２又は請求項３に記載の番組予約処理装置。
【請求項５】
前記予約手段は前記代替番組の予約を番組のジャンルの指定により受け付け、
前記予約手段により前記代替番組が予約されているときであって、前記予約実行手段により所定の時間帯に放送から前記予定番組のＩＤが検出されなかったとき、放送スケジュールが変更されたものと判断し、さらに、放送から前記予約手段で指定されたジャンルに該当する所望番組のＩＤが検出されたとき、この所望番組の予約を実行する、
ことを特徴とする請求項２乃至４のいずれか１項記載の番組予約処理装置。
【請求項６】
放送から、放送スケジュールの変更の可能性があることを示す付属情報が付属された番組ガイド情報を抽出する第１のステップと、
前記第１のステップにより抽出された番組ガイド情報に基づき、前記付属情報が付属された番組ガイドを表示する第２のステップと、
前記第２のステップで表示された番組ガイドの前記付属情報に対応して、放送スケジュールが変更されなかった場合に放送される予定番組、又は放送スケジュールが変更された場合に放送される代替番組の予約を選択的に予約する第３のステップと、
前記第３のステップにより予約された内容に基づいて予約を実行する第４のステップと、
を備えたことを特徴とする番組予約処理方法。
【発明の詳細な説明】
【０００１】
【発明の属する技術分野】
この発明は、放送番組を録画予約したり視聴予約したりする番組予約処理装置及び番組予約処理方法に関する。
【０００２】
【従来の技術】
現行放送において、当初予定されていた番組スケジュール（又は放送スケジュールと称する）が変更されることがある。例えば、スポーツ中継などは、天候に左右されるため、番組の中止、番組の延期、及び番組の中断などがあり得る。このように、当初予定されていた番組スケジュールが変更されると、変更に伴い代替番組が放送されることがある。
【０００３】
視聴者の中には、この代替番組の予約（録画予約又は視聴予約）を目的とする人もいる。代替番組を予約する場合には、一般的に、当初予定されていた予定番組が中止されることを想定して、日時指定により予約をセットする。
【０００４】
【発明が解決しようとする課題】
しかし、代替番組を予約したつもりでも、当初予定されていた予定番組が予定通り放送されてしまった場合、予約されてしまうのは本来目的とする代替番組ではなく、予定番組になってしまうという問題があった。また、代替番組が放送されたとしても、代替番組の内容は事前に知らされてないことが多く、視聴者が予測した代替番組と全く異なる代替番組が予約されてしまうという問題もあった。
【０００５】
逆に、当初予定されていた予定番組を予約したつもりでも、この予定番組が予定通り放送されなかった場合、予約されてしまうのは本来目的とする予定番組ではなく、代替番組になってしまうという問題もあった。さらに、予定番組の放送時間がずれた場合にも、予定番組の予約に不具合が生じてしまうという問題があった。
【０００６】
また、近年の普及しつつあるデジタル放送には番組ガイド（ＥＰＧ）に関する情報が含まれており、これにより、ディスプレイ上に番組ガイドを表示させることができるようになっている。しかし、この番組ガイドからは、上記したような番組スケジュールの変更の可能性を知ることはできなかった。
【０００７】
この発明の目的は、上記したような事情に鑑み成されたものであって、番組予約処理装置、及び番組予約処理方法を提供することにある。
【０００９】
番組スケジュールが変更されなかった場合に放送される当初予定通りの予定番組の予約、及び番組スケジュールが変更された場合に放送される代替番組の予約を選択的に受け付け、受け付けた予約（録画予約又は視聴予約）を正確に実行することが可能な番組予約処理装置及び番組予約処理方法。
【００１０】
【課題を解決するための手段】
上記課題を解決し目的を達成するために、この発明の番組予約処理装置及び番組予約処理方法は、以下のように構成されている。
【００１２】
（１）この発明の番組予約処理装置は、放送電波から、放送スケジュールの変更の可能性があることを示す付属情報が付属された番組ガイド情報を抽出する抽出手段と、前記抽出手段により抽出された番組ガイド情報に基づき、放送スケジュールの変更の可能性があることを示す付属情報が付属された番組ガイドを表示する表示手段と、前記表示手段に表示された番組ガイド上の放送スケジュールの変更の可能性を示す情報に対応して、放送スケジュールが変更されなかった場合に放送される当初予定通りの予定番組の予約、及び放送スケジュールが変更された場合に放送される代替番組の予約を選択的に受け付け予約する予約手段と、前記予約手段により予約された予約内容に基づき予約を実行する予約実行手段とを備えている。
【００１４】
（２）この発明の番組予約処理方法は、放送電波から、放送スケジュールの変更の可能性があることを示す付属情報が付属された番組ガイド情報を抽出する第１のステップと、前記第１のステップにより抽出された番組ガイド情報に基づき、放送スケジュールの変更の可能性があることを示す付属情報が付属された番組ガイドを表示する第２のステップと、前記第２のステップで表示された番組ガイド上の放送スケジュールの変更の可能性を示す情報に対応して、放送スケジュールが変更されなかった場合に放送される当初予定通りの予定番組の予約、及び放送スケジュールが変更された場合に放送される代替番組の予約を選択的に受け付け予約する第３のステップと、前記第３のステップにより予約された予約内容に基づき予約を実行する第４のステップとを備えている。
【００１５】
【発明の実施の形態】
以下、この発明の実施の形態について図面を参照して説明する。
【００１６】
図１は、この発明の番組ガイド表示装置及び番組予約処理装置の一例に係るデジタル放送受信装置の概略構成を示すブロック図である。
【００１７】
このデジタル放送受信装置は、アンテナ１、チューナー２、ＭＰＵ３、メモリ４、ＩＲ送信部５、ＩＲ受信部６、キーボード７、ＶＴＲ８、リモコン９、ビデオエンコーダ１０、及び表示装置１１などを備えている。
【００１８】
アンテナ１は、デジタル放送の放送電波を受信する。チューナー２は、デコード機能を有し、アンテナ１で受信された放送電波からリモコン９により指定されたチャンネルを選局する。ＭＰＵ３は、デジタル放送受信装置全体の制御を司る。メモリ４は、電源バックアップされおり、各種プログラム及び番組の予約に関する情報を記憶したりする。
【００１９】
ＩＲ送信部５は、ＶＴＲ９に対して録画又は再生などの各種制御信号を送信する。ＩＲ受信部６は、リモコン９から送信される録画又は再生などの各種制御信号を受信する。キーボード８は、ユーザからの録画又は再生などの各種指示をキー入力により受け付け、受け付けた各種指示をＭＰＵ３に送信する。ＶＴＲ９は、ＩＲ送信部５から送信される各種制御信号に基づき、映像及び音声などの各種情報を所定の記録媒体に記録したり、所定の記録媒体に記録されている各種情報を再生したりする。所定の記録媒体とは、ビデオテープ及び光ディスクなどである。リモコン９は、ユーザからの録画又は再生などの各種指示をボタン入力により受け付け、受け付けた各種指示をＩＲ受信部６に送信する。
【００２０】
ビデオエンコーダ１０は、チューナー２で選局されたチャンネルの信号を復調し、番組映像を提供する。表示装置１２は、例えばＣＲＴであり、ビデオエンコーダ１０で復調された番組映像を表示する。
【００２１】
以下、図３に示すフローチャート、及び図４〜図９に示す各予約画面を参照して、上記説明したデジタル放送受信装置における番組予約処理について説明する。
【００２２】
デジタル放送受信装置で受信されるデジタル放送には、番組情報及び制御情報が含まれている。番組情報に含まれる各番組には、番組固有番号（event id）が割り当てられており、この番組固有番号（以下番組ＩＤ）により各番組の識別が可能となる。例えば、特定の番組を予約（録画予約又は視聴予約）する場合には、この特定の番組に割り当てられた番組ＩＤを指定することにより、特定の番組の録画予約又は視聴予約が実現される。なお、録画予約とは目的の番組を録画するための予約であり、視聴予約とは目的の番組を視聴するための予約である。つまり、視聴予約の場合、目的の番組の放送開始時間に合わせて目的の番組が表示装置に表示される。
【００２３】
上記した制御情報には、各チャンネルの番組スケジュール等を示す電子番組ガイド（ＥＰＧ）に関する情報などが含まれている。さらに、必要に応じて、この電子番組ガイドに対して、番組スケジュールの変更の可能を示す付属情報を含ませることで、流動的な番組スケジュールに対応した予約が実現可能となる。上記した番組スケジュールの変更の可能性とは、番組の中止の可能性、番組の中断の可能性、番組の延期の可能性、番組の延長の可能性などである。つまり、スポーツ中継などの番組は、雨天中止、雨天中断、雨天順延などのケースが考えられ、また、ゲーム展開によっては放送時間が延長されることもある。
【００２４】
チューナー２は、上記したようにデジタル放送の放送電波に含まれる番組情報から各番組を選局するだけでなく、デジタル放送の放送電波に含まれる制御情報を抽出する。さらに、チューナー２は、制御情報から電子番組ガイド又は付属情報付き電子番組ガイドを抽出し（ＳＴ１）、ビデオエンコーダ１０を介して、表示装置１１に図２に示すような付属情報付き電子番組ガイドＧ１又は電子番組ガイドＧ２を表示させる（ＳＴ２）。つまり、チューナー２は、抽出手段として機能し、表示装置１１は表示手段として機能する。
【００２５】
図２に示すように、付属情報付き電子番組ガイドＧ１及び電子番組ガイドＧ２には、各チャンネルの番組スケジュールが表示されている。また、これら付属情報付き電子番組ガイドＧ１及び電子番組ガイドＧ２上に示されているように、各チャンネルの各番組には、番組ＩＤが割り当てられている。例えば、付属情報付き電子番組ガイドＧ１上のチャンネル２（ＣＨ２）の１９：００〜２１：００に放送される予定の野球放送には、番組ＩＤとして”event id=22”が割り当てられている。さらに、この野球放送には、付属情報として”中止の可能性あり”の情報が付加されている。付属情報は、例示されているように文字で表示してもよいし、アイコン等のマーク／ロゴで表示してもよい。さらに、付属情報が付加された番組欄の背景色等で表示するようにしてもよい。つまり、この野球放送に番組スケジュールの変更の可能性があることが視聴者に明確に伝わればよい。
【００２６】
番組の予約は、予約手段としてのリモコン９の操作により進められ、予約された内容はメモリ４に記憶される。メモリ４に記憶された予約内容は、予約実行手段としてのＭＰＵの制御により実行される。例えば、リモコン９には、図示しない、予約モードキー、カーソル移動キー、及び決定キーが設けられている。予約モードキーが押下されると、予約モードが実行され（ＳＴ３、ＹＥＳ）、付属情報付き電子番組ガイドＧ１上の所定の番組欄にカーソルが表示される。このとき、カーソル移動キーが押下されると、付属情報付き電子番組ガイドＧ１上の所定の番組欄に表示されたカーソルが、別の番組欄へと移動する。予約対象となる目的番組欄にカーソルが表示された状態で、決定キーが押下されると、目的の番組が予約対象として選択され（ＳＴ５）、選択された目的の番組に割り当てられた番組ＩＤが番組予約情報としてメモリ５に記憶される。予約モードが実行されなかった場合（ＳＴ３、ＮＯ）、他の処理（ＳＴ４）へ移行するが、これについての説明は省略する。
【００２７】
付属情報付き電子番組ガイドＧ１から、付属情報が付いてない番組が選択された場合（ＳＴ６、ＮＯ）、通常予約処理へ移行するが（ＳＴ７）、これについての説明は省略する。付属情報付き電子番組ガイドＧ１から、付属情報付きの番組、例えば前記した野球番組が選択されたとする（ＳＴ６、ＹＥＳ）。このとき、表示装置１１の画面は、付属情報付き電子番組ガイドＧ１から図４に示す予約画面１に切り替わる。
【００２８】
図４に示すように、予約画面１には、選択決定されたチャンネル、番組名、及び放送時間帯等が表示される。さらに、この選択決定された番組に付属情報が付加されていた場合には、この付属情報も表示される。例えば、「この番組は、場番組スケジュールが変更になる可能性があります。注意して下さい。」のように付属情報が表示される。さらに、この付属情報の表示に伴い、番組スケジュールが変更されなかった場合に放送される当初予定通りの予定番組の予約を受け付ける予定番組予約ボタン、及び番組スケジュールが変更された場合に放送される代替番組の予約を受け付ける代替番組予約ボタンが表示される。さらに、予定番組を予約するのか、代替番組を予約するのかを尋ねる案内が表示される。
【００２９】
ここで、予定番組を予約するケースについて説明する。予定番組を予約するには、予定番組予約ボタンが選択される。これに伴い、図４に示す予約画面１は図５に示す予約画面２に切り替わる。図５に示すように、予約画面２には、選択決定されたチャンネル、番組名、及び放送時間帯等が表示される。また、付属情報も表示される。例えば、「この番組は、番組スケジュールが変更になる可能性があります。注意して下さい。」、及び「番組スケジュールが変更された場合には予約が実行されないことがあります」のように付属情報が表示される。さらに、視聴予約を受け付ける視聴予約ボタン、録画予約を受け付ける録画予約ボタン、及び予約を取り消す取消ボタンが表示される。視聴予約ボタン又は予約録画ボタンが選択されると、予定番組の予約設定が完了する（ＳＴ８、ＹＥＳ）。
【００３０】
その後、番組スケジュールに変更がなければ（ＳＴ９、ＮＯ）、つまり予定番組が予定通り放送されれば、設定された予約（録画予約又は視聴予約）が実行される（ＳＴ１２）。番組スケジュールの変更は、ＭＰＵ３及びメモリ４により検出される。メモリ４には先に説明したように、番組予約情報として予約対象の番組ＩＤ（ここでは予定番組の番組ＩＤ）が記憶されている。この番組ＩＤが予定通りの時刻になっても放送電波から検出されなければ、番組スケジュールが変更されたものと判断される。逆に、この番組ＩＤが予定通りの時刻に放送電波から検出されれば、番組スケジュールが変更されなかったのもと判断される。
【００３１】
番組スケジュールに変更があっても（ＳＴ９、ＹＥＳ）、予約された予定番組が変更時間帯に放送されれば（ＳＴ１０、ＹＥＳ）、設定された予約（録画予約又は視聴予約）が実行される（ＳＴ１２）。予約された予定番組は番組ＩＤにより予約されているので、予約された予定番組の放送時間に変更があっても、番組ＩＤを検出することにより、予約された予定番組の予約を実行することができる。
【００３２】
但し、予約された予定番組の番組ＩＤの検出期間を区切ることにより、検出期間内に予約された予定番組の番組ＩＤが検出されなければ、予定番組は変更時間にも放送されなかったものとして（ＳＴ１０、ＮＯ）、予約は取り消される（ＳＴ１１）。このように、番組ＩＤで予定番組を予約することにより、番組の延長や繰り下げ等の番組スケジュールの流動編成に対応することができる。
【００３３】
続いて、代替番組を予約するケースについて説明する。代替番組を予約するには、図４に示す予約画面１から代替番組予約ボタンが選択される（ＳＴ１３、ＹＥＳ）。これに伴い、図４に示す予約画面１は図６に示す予約画面３に切り替わる。図６に示すように、予約画面３には、どのチャンネルのどの番組のどんな放送時間帯の代替番組の予約なのかが表示される。さらに、「予定された予定番組の番組スケジュールが変更されたときだけ予約が実行されます」、及び「予約の設定方法を選択して下さい」などの案内が表示される。さらに、予定番組と同じ時間帯の予約を指定する同時間帯予約ボタン、及び所定のジャンルに該当する代替番組だけを予約するジャンルで選択のボタンが表示される。
【００３４】
予約画面３から同時間帯予約ボタンが選択されると、図６に示す予約画面３が図７に示す予約画面４に切り替わる。図７に示すように、予約画面４には、どのチャンネルのどの番組のどんな放送時間帯の代替番組の予約なのかが表示される。さらに、「同時間帯の代替番組」、及び「予定番組の番組スケジュールが変更されたときだけ予約が実行されます」などの案内が表示される。さらに、視聴予約を受け付ける視聴予約ボタン、録画予約を受け付ける録画予約ボタン、及び予約を取り消す取消ボタンが表示される。視聴予約ボタン又は予約録画ボタンが選択されると、時間帯指定による代替番組の予約設定が完了する（ＳＴ１４、ＹＥＳ）。
【００３５】
その後、番組スケジュールに変更がなければ（ＳＴ１５、ＮＯ）、つまり予定番組が予定通り放送されると、設定された予約（録画予約又は視聴予約）は取り消される（ＳＴ１６）。逆に、番組スケジュールに変更があれば（ＳＴ１５、ＹＥＳ）、つまり予定番組が予定通り放送されなければ、設定された予約（録画予約又は視聴予約）が実行される（ＳＴ１２）。予定番組と同時間帯の予約を実行することにより、代替番組の予約が実行されることになる。番組スケジュールの変更は、既に説明したようにＭＰＵ３及びメモリ４により検出される。メモリ４には先に説明したように、番組予約情報として予約対象の番組ＩＤが記憶されている。代替番組の番組ＩＤは不明であるため、予定番組の番組ＩＤが記憶されていることになる。この番組ＩＤが予定通りの時刻になっても放送電波から検出されなければ、番組スケジュールが変更されたものと判断される。逆に、この番組ＩＤが予定通りの時刻に放送電波から検出されれば、番組スケジュールが変更されなかったのもと判断される。
【００３６】
予約画面３からジャンルで選択のボタンが選択されると、図６に示す予約画面３が図８に示す予約画面５に切り替わる。図８に示すように、予約画面５には、どのチャンネルのどの番組のどんな放送時間帯の代替番組の予約なのかが表示される。さらに、「ジャンルで選ぶ」、「ジャンルを選んでください」などの案内が表示される。さらに、ジャンル一覧表も表示される。リモコン９のカーソル移動キー、及び決定キーの操作により、所望のジャンルが選択される。例えば、ドラマが選択されたとする。すると、図８に示す予約画面５は、図９に示す予約画面６に切り替わる。
【００３７】
予約画面６には、どのチャンネルのどの番組のどんな放送時間帯の代替番組の予約なのかが表示される。さらに、「ジャンルで選ぶ」、「ドラマ」、「予定番組の番組スケジュールが変更されたときだけ該当するジャンルの代替番組の予約が実行されます」などの案内が表示される。さらに、視聴予約を受け付ける視聴予約ボタン、録画予約を受け付ける録画予約ボタン、及び予約を取り消す取消ボタンが表示される。視聴予約ボタン又は予約録画ボタンが選択されると、ジャンル指定による代替番組の予約設定が完了する（ＳＴ１７、ＹＥＳ）。
【００３８】
その後、番組スケジュールに変更がなければ（ＳＴ１８、ＮＯ）、つまり予定番組が予定通り放送されると、設定された予約（録画予約又は視聴予約）は取り消される（ＳＴ１６）。逆に、番組スケジュールに変更があり（ＳＴ１８、ＹＥＳ）、指定されたジャンルに該当する番組ＩＤが検出されれば（ＳＴ１９、ＹＥＳ）、設定された予約（録画予約又は視聴予約）が実行される（ＳＴ２０）。番組スケジュールに変更があっても（ＳＴ１８、ＹＥＳ）、指定されたジャンルに該当する番組ＩＤが検出されなければ（ＳＴ１９、ＮＯ）、設定された予約（録画予約又は視聴予約）は取り消される（ＳＴ１６）。
【００３９】
因みに、放送電波の制御情報には、番組ＩＤとジャンルの関係を示す情報が含まれており、この情報に基づき、放送電波から検出される番組ＩＤが指定されたジャンルに該当するか否か判断される。
【００４０】
上記説明は、代替番組の番組ＩＤが不明であることを前提としたものである。つまり、代替番組の番組ＩＤが指定できないので、代替番組を時間帯で指定するか、又はジャンルで指定する。ジャンルで指定すると、ユーザが希望するジャンルに該当する代替番組だけを予約することができる。また、ジャンルで指定することにより、複数の番組が代替番組として放送されるような場合、特定のジャンルに該当しない代替番組を予約対象から外すとともに、特定のジャンルに該当する代替番組だけを予約することもできる。さらに、ジャンルで指定することにより、代替番組を間接的に番組ＩＤで予約することになる。これにより、代替番組の延長や繰り下げ等の流動編成にも対応することが可能となる。
【００４１】
さらに、この発明は上記説明した代替番組の指定方法だけに限定されるものではない。代替番組の番組ＩＤが判明するような場合、例えば、付属情報に代替番組の番組ＩＤが含まれるような場合には、直接、代替番組を番組ＩＤで指定するようにしてもよい。これにより、より正確な代替番組の予約を実行することが可能となる。
【００４２】
【発明の効果】
この発明によれば、番組予約処理装置、及び番組予約処理方法を提供できる。
【００４４】
番組スケジュールが変更されなかった場合に放送される当初予定通りの予定番組の予約、及び番組スケジュールが変更された場合に放送される代替番組の予約を選択的に受け付け、受け付けた予約（録画予約又は視聴予約）を正確に実行することが可能な番組予約処理装置及び番組予約処理方法。
【図面の簡単な説明】
【図１】この発明の番組予約処理装置の一例に係るデジタル放送受信装置の概略構成を示すブロック図である。
【図２】番組スケジュールが変更される前の付属情報付き電子番組ガイド、及び番組スケジュールが変更された後の電子番組ガイドの一例を示す図である。
【図３】図１に示す番組予約処理装置で実行される番組予約処理を説明するためのフローチャートである。
【図４】予約画面１の一例を示す図である。
【図５】予約画面２の一例を示す図である。
【図６】予約画面３の一例を示す図である。
【図７】予約画面４の一例を示す図である。
【図８】予約画面５の一例を示す図である。
【図９】予約画面６の一例を示す図である。
【符号の説明】
１…アンテナ
２…チューナー
３…ＭＰＵ
４…メモリ
５…ＩＲ送信部
６…ＩＲ受信部
７…キーボード
８…ＶＴＲ
９…リモコン
１０…ビデオエンコーダ
１１…表示装置
【図１】
0004177537.tif 000002
【図２】
0004177537.tif 000003
【図３】
0004177537.tif 000004
【図４】
0004177537.tif 000005
【図５】
0004177537.tif 000006
【図６】
0004177537.tif 000007
【図７】
0004177537.tif 000008
【図８】
0004177537.tif 000009
【図９】
0004177537.tif 000010